(57)【要約】【課題】奥行き寸法が異なる複数の書籍の背表紙を簡便に揃えることができる書籍前揃え装置を提供する。【解決手段】書架２の棚板８の上面８ａに陳列された複数冊の書籍Ｂ，Ｂ，…の背表紙の位置を揃える書籍前揃え装置１であって、棚板８の幅と略同寸に形成され、棚板８の上面８ａを奥行方向に滑動可能な前出し部材１１と、棚板８の幅方向に所定の長さを有する押し戻し部材１３と、を備え、前出し部材１１と押し戻し部材１３とは、アーム部材１２により連結されている。【選択図】図１
2019141332.tif 000002
【特許請求の範囲】
【請求項１】
書架の棚板の上面に陳列された複数冊の書籍の背表紙の位置を揃える書籍前揃え装置であって、
前記棚板の幅と略同寸に形成され、前記棚板の上面を奥行方向に滑動可能な前出し部材と、前記棚板の幅方向に所定の長さを有する押し戻し部材と、を備え、
前記前出し部材と前記押し戻し部材とは、アーム部材により連結されていることを特徴とする書籍前揃え装置。
【請求項２】
前記押し戻し部材は、上下に揺動可能となっていることを特徴とする請求項１に記載の書籍前揃え装置。
【請求項３】
前記押し戻し部材を下方に揺動させた状態において、前記押し戻し部材の下方側が前記棚板の上面よりも下に位置することを特徴とする請求項２に記載の書籍前揃え装置。
【請求項４】
前記アーム部材は、前記押し戻し部材を下方に揺動させた状態において前記棚板の上面に支持される本体部と、該本体部の前端部に下方に延出する延出部を備え、該延出部に前記前出し部材が固定されていることを特徴とする請求項２または３に記載の書籍前揃え装置。
【請求項５】
前記アーム部材は、前記前出し部材と前記押し戻し部材の幅方向の両端部に一対取り付けられていることを特徴とする請求項１ないし４のいずれかに記載の書籍前揃え装置。
【請求項６】
前記前出し部材の長手方向の寸法が前記棚板の両端部に配置される側板同士の距離とほぼ同寸に形成されていることを特徴とする請求項１ないし５のいずれかに記載の書籍前揃え装置。
【発明の詳細な説明】
【技術分野】
【０００１】
本発明は、書架の棚板上に陳列された複数冊の書籍の背表紙の位置を揃える書籍前揃え装置に関する。
【背景技術】
【０００２】
従来、図書館等の施設では、設置された書架の棚板上に複数冊の書籍が陳列されている。これらの書籍は、利用者が出し入れする度に背表紙の位置が乱れてしまい、背表紙を確認し難くなる問題や、書籍を取り出し難くなる問題等がある。そのため、施設の従業員は、書架の棚板上に陳列された複数冊の書籍の背表紙の位置を手作業で揃える、所謂前揃え作業を定期的に行っている。
【０００３】
このような前揃え作業を簡便にするための装置としては、例えば特許文献１に示されるように、スーパーマーケット等において商品を陳列する陳列棚において用いられ、物品を前出しする装置（前送り装置）がある。この装置は、所定の幅方向の寸法を備えて棚板の上に自立するパネル体と、このパネル体の下部に設けられた通孔と、その通孔に差込み可能な鈎状の先端部を有する引き棒と、を有しており、引き棒の先端部を通孔に差込み、パネル体を棚板の手前側に引き出すことで、複数の物品を棚板の手前側に前出しすることができる。
【０００４】
このような装置は、複数の物品を棚板の手前側に同時に前出しすることができるものの、書籍のように複数の物品の奥行き寸法が異なる場合には、物品の手前側の端部は別途手作業で揃える作業が必要となり、前揃え作業を十分に簡便にできたとはいえないという問題がある。
【０００５】
また、例えば特許文献２に示される装置は、棒状の本体の一端部が把持部とされ、他端部が該他端部を棒状の本体に対し略直角に折り曲げた形状の図書当接部とされた図書揃え具により、書籍を手前側に掻き出すことができるものであり、奥行き寸法の異なる書籍を１つずつ手前側に移動させ、これらを前揃えする装置である。更に、この装置は、図書背表紙当り桟なる部材を棚板の手前側端部に取付けることで、複数の書籍を同時に手前側に掻き出し、これら複数の書籍の背表紙を揃えることができるようになっている。
【先行技術文献】
【特許文献】
【０００６】
【特許文献１】特開平８−１０１０７号公報（第２頁、第１図）
【特許文献２】特開２００３−３３０８３１号公報（第３頁、第７図）
【発明の概要】
【発明が解決しようとする課題】
【０００７】
しかしながら、特許文献２にあっては、奥行き寸法が異なる複数の書籍の背表紙を揃えることができる反面、前出しする複数の書籍の中に奥行き寸法が異なる書籍が含まれる場合、当該書籍を単体で手前側に移動させる必要があるため、前揃え作業における前出し作業が依然として煩雑であるという問題があった。
【０００８】
本発明は、このような問題点に着目してなされたもので、奥行き寸法が異なる複数の書籍の背表紙を簡便に揃えることができる書籍前揃え装置を提供することを目的とする。
【課題を解決するための手段】
【０００９】
前記課題を解決するために、本発明の書籍前揃え装置は、
書架の棚板の上面に陳列された複数冊の書籍の背表紙の位置を揃える書籍前揃え装置であって、
前記棚板の幅と略同寸に形成され、前記棚板の上面を奥行方向に滑動可能な前出し部材と、前記棚板の幅方向に所定の長さを有する押し戻し部材と、を備え、
前記前出し部材と前記押し戻し部材とは、アーム部材により連結されていることを特徴としている。
この特徴によれば、棚板と略同寸の前出し部材を手前側に引き出すことで、奥行寸法の小さい書籍も含めて複数の書籍を一旦前出しさせ、その後、押し戻し部材を棚板の奥側に移動させることで、奥行き寸法が異なる複数冊の書籍の背表紙を押し戻し部材により同時に押して簡便に前揃えさせることができる。
【００１０】
前記押し戻し部材は、上下に揺動可能となっていることを特徴としている。
この特徴によれば、書籍の高さ寸法に応じて、前揃え作業の行いやすい高さに押し戻し部材の高さ位置を調整することができる。
【００１１】
前記押し戻し部材を下方に揺動させた状態において、前記押し戻し部材の下方側が前記棚板の上面よりも下に位置することを特徴としている。
この特徴によれば、書籍を棚板上から取り出す際における押し戻し部材の干渉を防止することができる。
【００１２】
前記アーム部材は、前記押し戻し部材を下方に揺動させた状態において前記棚板の上面に支持される本体部と、該本体部の前端部に下方に延出する延出部を備え、該延出部に前記前出し部材が固定されていることを特徴としている。
この特徴によれば、アーム部材を棚板の上面に支持させて安定性を確保するとともに、延出部を棚板の前方側に位置させることで、書籍を棚板上から取り出す際における押し戻し部材の干渉を防止することができる。
【００１３】
前記アーム部材は、前記前出し部材と前記押し戻し部材の幅方向の両端部に一対取り付けられていることを特徴としている。
この特徴によれば、前出し部材と押し戻し部材と一対のアーム部材により、書籍前揃え装置が上面視で矩形状に形成されるため、構造強度を高め、前出し作業時と前揃え作業時の変形を防ぎ、かかる作業を正確に行うことができる。
【００１４】
前記前出し部材の長手方向の寸法が前記棚板の両端部に配置される側板同士の距離とほぼ同寸に形成されていることを特徴としている。
この特徴によれば、前出し部材が側板に案内されて、引出し方向を安定させることができる。
【図面の簡単な説明】
【００１５】
【図１】本発明の実施例１における書籍前揃え装置を備える書架を示す斜視図である。
【図２】棚段の固定構造を示す一部拡大分解斜視図である。
【図３】書籍前揃え装置を示す斜視図である。
【図４】書籍前揃え装置の棚板への配置状態を示す側断面図である。
【図５】棚板に陳列された書籍の背表紙の位置が乱れている状態を示す平面図である。
【図６】前出し作業を示す図である。
【図７】押し戻し部材を上方に引き上げた状態を示す図である。
【図８】前揃え作業を示す図である。
【図９】押し戻し部材を棚板の前方に配置した状態を示す図である。
【図１０】実施例２における書籍前揃え装置を示す斜視図である。
【図１１】実施例２における書籍前揃え装置の棚板への配置状態を示す側断面図である。
【図１２】実施例２における押し戻し部材を前方に一旦引出した状態を示す図である。
【図１３】実施例２における前出し作業を示す図である。
【図１４】実施例２における押し戻し部材を上方に引き上げた状態を示す図である。
【図１５】実施例２における前揃え作業を示す図である。
【発明を実施するための形態】
【００１６】
本発明に係る書籍前揃え装置を実施するための形態を実施例に基づいて以下に説明する。
【実施例１】
【００１７】
実施例１に係る書籍前揃え装置を備える書架につき、図１から図９を参照して説明する。以下、図４の紙面右側を書籍前揃え装置を備える書架の手前側（前方側）とし、紙面左側を書架の奥側（後方側）として説明する。
【００１８】
図１に示されるように、書籍前揃え装置１は、書架２の棚段３，３，…上に陳列された複数冊の書籍Ｂの背表紙Ｂ１（図５参照）の位置を揃える装置である。本実施例の書架２は、図書館等の施設で利用され、上下に複数の棚段３，３，…を備えている。
【００１９】
図１に示されるように、書架２は、左右に所定間隔離間して起立する一対の支柱４，４と、支柱４，４の上端部と下端部との対向面同士を連結している横連結杆５，５と、支柱４，４の前面に支持された上下複数段の棚段３，３，…と、から主に構成されており、各棚段３には書籍Ｂが陳列可能となっている。支柱４は、脚部６を有して自立可能となっているとともに、支柱４の前面４ａには、係合孔７，７，…が上下方向に多数並んで設けられている。
【００２０】
図２に示されるように、棚段３は、棚板８と、棚板８の幅方向両端部に固定された側板９，９と、から主に構成されている。側板９の後方側端部には、鈎状の係止片１０，１０，…が上下方向に形成されており、これら係止片１０，１０，…が支柱４の係合孔７，７，…に係合されて、側板９，９及び棚板８が支柱４，４の間に支持されている。
【００２１】
図３に示されるように、書籍前揃え装置１は、前出し部材１１と、アーム部材１２と、押し戻し部材１３と、を備えて構成されている。前出し部材１１は、棚板８の上面８ａ（図１参照）の幅方向の寸法と略同寸の杆部材で構成されており、中空の断面視略矩形状となっている。
【００２２】
アーム部材１２は、本体部１５と、本体部１５の前端部に下方に延出する延出部１６を備えるプレート状部材であって、延出部１６の内側に押し戻し部材１３が固定されている。
【００２３】
本体部１５は、下面１５ａが棚板８の上面８ａに支持され、長手方向に渡って棚板８の上面８ａに対して滑動可能となっている。また、延出部１６は、押し戻し部材１３を下方に位置させた状態、即ち本体部１５の下面１５ａが棚板８の上面８ａに支持されている状態において棚板８の前方側かつ棚板８の上面８ａよりも下方に位置する。
【００２４】
図４及び図５に示されるように、アーム部材１２は、後方側の端部が内向きに屈曲されて屈曲片１２ａが形成されており、屈曲片１２ａは前出し部材１１の後面１１ｂに対向して配置され、ビス４０により固定されている。
【００２５】
押し戻し部材１３は、金属製の中空の円杆部材よりなり、その長手方向の寸法がアーム部材１２，１２同士の距離、即ち前出し部材１１の長手方向の寸法と略同寸に形成されている（図５参照）。
【００２６】
続いて、書籍前揃え装置１の使用態様について説明する。図４に示されるように、書架２の棚段３，３，…には、書籍Ｂを陳列する前に、予め書籍前揃え装置１が設置される。
【００２７】
図５は、利用者が書籍Ｂを出し入れする度に、これらの背表紙の位置が乱れている状態を示している。このとき、延出部１６が棚板８の手前側端縁８ｂより前方に位置している（図４を参照）ため、押し戻し部材１３の上方に書籍Ｂが位置している場合がある。
【００２８】
図６に示されるように、押し戻し部材１３を棚板８の前方側に引くと、アーム部材１２を介して前出し部材１１が前方に移動され、前出し部材１１と当接した書籍Ｂが前出し部材１１の移動に伴い前方側に前出しされる。このとき、棚板８上における前揃えすべき全ての書籍Ｂ，Ｂ，…の背表紙が棚板８の手前側端縁８ｂと面一もしくは手前側端縁８ｂよりも前方側に位置するまで書籍Ｂ，Ｂ，…を前出しする。
【００２９】
次いで、図７に示されるように、書籍Ｂ，Ｂ，…の背表紙が棚板８の手前側端縁８ｂと面一もしくは手前側端縁８ｂよりも前方側に移動させた後、今度は押し戻し部材１３を上方に引き上げる。押し戻し部材１３はアーム部材１２を介して前出し部材１１と固定されているため、押し戻し部材１３を上方に引き上げると、棚板８の上面８ａに接地する前出し部材１１の底面１１ｃと後面１１ｂとが交差して構成される角部１１ｄを支点として書籍前揃え装置１全体が揺動する。押し戻し部材１３を、棚板８に載置された書籍Ｂの高さ寸法に応じて、前揃え作業の行いやすい高さまで引き上げる。
【００３０】
図８に示されるように、押し戻し部材１３を引き上げた状態で、押し戻し部材１３を棚板８の奥側に押し込むと、直線形状の押し戻し部材１３に当接した複数冊の書籍Ｂ，Ｂ，…の背表紙の位置が直線状に並んだ状態となる。押し戻し部材１３は、書籍Ｂ，Ｂ，…の背表紙が棚板８の手前側端縁８ｂと面一となる位置まで移動させる。これにより前出し作業と前揃え作業とが完了する。
【００３１】
図９に示されるように、最後に押し戻し部材１３を下げ、押し戻し部材１３とアーム部材１２の延出部１６とを棚板８の手前側端縁８ｂの前方に位置させる。これにより、押し戻し部材１３と延出部１６とが収納状態となり、書籍Ｂ，Ｂ，…を押し戻し部材１３に干渉せずに棚板８上から取り出すことができる。
【００３２】
上記したように、棚板８と略同寸の前出し部材１１を手前側に引き出すことで、奥行寸法の小さい書籍ごと複数の書籍Ｂ，Ｂ，…を一旦前出しさせ、その後、押し戻し部材１３を棚板８の奥側に移動させることで、奥行き寸法が異なる複数冊の書籍Ｂ，Ｂ，…の背表紙を押し戻し部材１３により同時に押して簡便に前揃えさせることができる。
【００３３】
また、前出し部材１１と押し戻し部材１３とがアーム部材１２，１２により平行な状態が維持されるように連結されていることから、前出し作業と前揃え作業との操作方向を一致させて、正確にかかる作業を行うことができる。
【００３４】
また、前出し部材１１と、前出し部材の長手方向の両端に固定されたアーム部材１２の厚みとを合わせた寸法は、書架２の側板９，９間の寸法と略同寸の長手方向の寸法であるため、前出し作業時と前揃え作業時において、前出し部材１１の両端が側板９，９の間で案内され、棚板８の長手方向に傾くことなく略平行な安定した状態で前出し部材１１を正確に移動させることができる。加えて、前出し部材１１と押し戻し部材１３とはアーム部材１２により平行な状態が維持されて連結されているため、押し戻し部材１３も棚板８の長手方向に傾くことなく正確に移動させることができる。更に、前出し部材１１の長手方向の寸法は、棚板８の幅寸法とほぼ同寸となっているため、棚板８上の全ての書籍を一度に引き出すことができる。
【００３５】
アーム部材１２は、前出し部材１１と押し戻し部材１３の幅方向の両端部に一対取り付けられており、書籍前揃え装置１が上面視で矩形枠状に形成されている（図５参照）ため、構造強度を高め、前出し作業時と前揃え作業時の変形を防ぎ、かかる作業を正確に行うことができる。
【００３６】
また、前出し部材１１は、断面視で略矩形状に形成されており、その底面１１ｃが棚板８の上面８ａを滑動可能となっている。これによれば、前出し部材１１が自立した状態で前出し作業と前揃え作業を行うことができ、書籍の移動時の安定性を高めることができる。
【００３７】
また、本体部１５においてアーム部材１２を棚板８の上面８ａに支持させて、停止時及び前出し作業時における安定性を確保することができる。
【００３８】
また、図８に示されるように、前揃え作業時には、押し戻し部材１３を上方に引き上げたことで、前出し部材１１の上面１１ａと後面１１ｂとが交差して構成される角部１１ｅが奥側に飛び出しており、前揃え作業時に、この角部１１ｅを支柱４，４の前面４ａ，４ａにそれぞれ当接させることで、押し戻し部材１３を棚板の手前側端縁８ｂと平行にでき、複数の書籍Ｂ，Ｂ，…を正確に前揃えさせることができる。
【実施例２】
【００３９】
次に、実施例２に係る書籍前揃え装置につき、図１０から図１５を参照して説明する。尚、前記実施例と同一構成で重複する構成の説明を省略する。
【００４０】
図１０に示されるアーム部材２２は、平面視略Ｌ字の固定部材２３と、固定部材２３に回動可能に取り付けられるアーム本体部材２４とから主に構成されている。
【００４１】
図１０及び図１１に示されるように、固定部材２３は、後方側の端部が内向きに屈曲されて屈曲片２３ａが形成されており、屈曲片２３ａは前出し部材１１の後面１１ｂに対向して配置され、ビス４０，４０により固定されている。また、屈曲片２３ａから前出し部材１１の側部に延びる本体部２３ｂには、前出し部材１１の前後方向に向けて延びる長孔２５が形成されている。
【００４２】
アーム本体部材２４の後端側には、軸部３０が固定されており、この軸部３０が固定部材２３に形成された長孔２５に挿入されてアーム本体部材２４が固定部材２３に軸支されている。また、軸部３０は長孔２５内を前後方向に移動可能となっている。アーム本体部材２４の前端から下方に延出する延出部２６には押し戻し部材１３が固定されている。
【００４３】
図１１に示されるように、アーム部材２２は、押し戻し部材１３が棚板８の手前側端縁８ｂに当接している状態において、アーム本体部材２４の軸部３０が長孔２５の後端２５ｂに当接する寸法に形成されている。
【００４４】
続いて、書籍前揃え装置１の使用態様について説明する。まず、図１２に示されるように、押し戻し部材１３に指をかけ易くするため、軸部３０が長孔２５の前端２５ａに当接するまで押し戻し部材１３を一旦前方に引き出す。このとき、押し戻し部材１３及びアーム本体部材２４のみが前方に移動し、前出し部材１１及び固定部材２３は移動しない。そのため、かかる操作に必要な力が小さく、容易に操作が可能である。次いで図１３に示されるように、引出された押し戻し部材１３に指をかけた上で、更に押し戻し部材１３を引き出し、前出し部材１１により書籍Ｂ，Ｂ，…を前出しする。
【００４５】
次に、図１４に示されるように、押し戻し部材１３を上方に引き上げる。このとき、軸部３０は長孔２５内で回動するため、前出し部材１１は揺動されない。そして、図１５に示されるように、押し戻し部材１３を任意の高さまで引き上げた後、押し戻し部材１３によって書籍Ｂ，Ｂ，…を押し込み、前揃え作業を完了させる。
【００４６】
このように、押し戻し部材１３の揺動に前出し部材１１が連動しないため、前揃え作業における操作時には、前出し部材１１の底面１１ｃが棚板８の上面８ａに対して滑動し、かかる作業を安定して行うことができる。また、押し戻し部材１３による押し込み動作時には、軸部３０が長孔の後端２５ｂに当接した後に、押し戻し部材１３の移動に伴い前出し部材１１も後方に移動される。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、前出し部材１１と押し戻し部材１３とアーム部材１２とがそれぞれ別体で形成されているが、これに限らず一体に形成されていてもよい。
【００４９】
また、アーム部材１２は前出し部材１１の前面側に固定されていてもよく、この場合、左右のアーム部材１２，１２の厚みを除いた前出し部材１１の長手方向の寸法を棚板８の幅寸法と略同寸とすることで、上記したような前出し部材１１の両端が側板９，９の間で案内される効果と棚板８上の全ての書籍を一度に引き出すことができる効果を奏することができる。
【００５０】
また、前出し部材１１は棚段３の側板９，９の幅方向の寸法と略同寸の長手方向の寸法を有していなくてもよく、例えば、複数の書籍を同時に移動可能なだけの長手方向の寸法を有する前出し部材を１段の棚段３に幅方向に複数配置してもよい。
【００５１】
また、押し戻し部材１３は、断面視円管状に形成される構成に限らず、例えば板状や矩形状等であってもよい。更に、押し戻し部材１３は棚段３の側板９，９の幅方向の寸法と略同寸の長手方向の寸法を有していなくてもよく、複数の書籍を同時に移動可能なだけの長手方向の寸法を有する押し戻し部材を１段の棚段３に幅方向に複数配置し、それぞれアーム部材により前出し部材と連結してもよい。
【００５２】
また、アーム部材１２は、前出し部材１１と押し戻し部材１３の長手方向の両端を連結する構成に限らず、例えば長手方向の両端から中央川側に寄った位置でこれらを連結してもよいし、前出し部材と押し戻し部材を長手方向の中央において１本のアーム部材により連結し、前出し部材と押し戻し部材とアーム部材とで略Ｈ状を成す構成としてもよい。更に、アーム部材は前出し部材と押し戻し部材の長手方向に離間して３本以上配置されてもよいし、アーム部材は互いに平行に配置されていなくてもよい。
【００５３】
また、前出し部材１１と押し戻し部材１３とアーム部材１２とは着脱自在に連結されていてもよい。
【符号の説明】
【００５４】
１                書籍前揃え装置
２                書架
３                棚段
４                支柱
８                棚板
８ａ              棚板上面
８ｂ              棚板手前側端縁
９                側板
１１              前出し部材
１１ｃ            前出し部材底面
１２              アーム部材
１２ａ            屈曲片
１３              押し戻し部材
１５              本体部
１５ａ            本体部下面
１６              延出部
２２              アーム部材
２３              固定部材
２３ａ            屈曲片
２３ｂ            本体部
２４              アーム本体部材
２５              長孔
２６              延出部
３０              軸部
４０              ビス
Ｂ                書籍
Ｂ１              背表紙
【図１】
2019141332.tif 000003
【図２】
2019141332.tif 000004
【図３】
2019141332.tif 000005
【図４】
2019141332.tif 000006
【図５】
2019141332.tif 000007
【図６】
2019141332.tif 000008
【図７】
2019141332.tif 000009
【図８】
2019141332.tif 000010
【図９】
2019141332.tif 000011
【図１０】
2019141332.tif 000012
【図１１】
2019141332.tif 000013
【図１２】
2019141332.tif 000014
【図１３】
2019141332.tif 000015
【図１４】
2019141332.tif 000016
【図１５】
2019141332.tif 000017